(57)【要約】【課題】筒状の容器本体部を構成する側板部と、該側板部の上下に折り曲げ可能に連設されてなる蓋部とを備えた容器組立用プラスチックシートにおいて、容器本体部に対する蓋部の嵌め込みがズレ難い容器組立用プラスチックシートを提供する。【解決手段】少なくとも底面蓋部４の周囲に複数の係合部１４を設け、側板部２内には、少なくとも下辺部２ｂに沿って前記係合部１４と係合可能な複数の被係合部６を設けるようにする。【選択図】図１
2008094459.tif 000002
【特許請求の範囲】
【請求項１】
筒状の容器本体部を形成可能な側板部と、側板部の上下に、折り曲げ可能に連設された天面蓋部及び底面蓋部とを備えた容器組立用プラスチックシートであって、
少なくとも底面蓋部の周囲に複数の係合部を設け、側板部内には、少なくとも下辺部に沿って前記係合部と係合可能な複数の被係合部を設けてなる構成を有する容器組立用プラスチックシート。
【請求項２】
底面蓋部の周縁に沿って枠縁部を設け、この枠縁部の外周面に複数の係合部を設けてなる構成を有する請求項１記載の容器組立用プラスチックシート。
【請求項３】
底面蓋部の周縁部に、周縁方向に間隔をおいて、折り曲げ可能に複数の張出片部を連設し、各張出片部に係合部を設けてなる構成を有する請求項１記載の容器組立用プラスチックシート。
【請求項４】
請求項１乃至３の何れかに記載の容器組立用プラスチックシートを組立ててなる組立容器。
【発明の詳細な説明】
【技術分野】
【０００１】
本発明は、容器組立用プラスチックシート及びこれを組み立ててなる組立容器に関する。
【背景技術】
【０００２】
化粧品や玩具等の各種商品を保護しつつ見栄えよく展示するため、透明度の高いプラスチックシートからなる組立容器が使用されている。
この種の組立容器は、透明性が良好で剛性もあるアモルファスポリエチレンテレフタレート（Ａ―ＰＥＴ）等のプラスチックシートを、所望の形状に打ち抜き、折り曲げ箇所に罫線を入れて容器組立用プラスチックシートを形成した後、これを自動製函機等によって組み立てて商品を収納するのに供するのが一般的である。
【０００３】
従来、この種の容器組立用プラスチックシートに関しては、例えば特許文献１などにおいて、筒状の容器本体部を構成する側板部と、該側板部の上下に、折り曲げ可能に連設されてなる蓋部とを備えた容器組立用プラスチックシートが開示されている。
【０００４】
【特許文献１】特開２００４−１１５０８３号公報
【発明の開示】
【発明が解決しようとする課題】
【０００５】
例えば特許文献１に開示されているような従来の組立容器用プラスチックシートは、側板部から形成された筒状の容器本体部の開口部内に、蓋部を嵌め込んで閉じるだけの構成であったため、運搬中或いは商品展示中に蓋部の嵌め込みがズレて意匠性が低下することがあった。また、底面蓋部が外れて商品が落下する心配もあった。
【０００６】
そこで本発明は、筒状の容器本体部を構成する側板部と、該側板部の上下に折り曲げ可能に連設されてなる蓋部とを備えた容器組立用プラスチックシートにおいて、容器本体部に対する蓋部の嵌め込みがズレ難く、運搬中或いは商品展示中に意匠性が低下したり、底面蓋部が外れて商品が落下したりすることのない新たな容器組立用プラスチックシートを提供せんとするものである。
【課題を解決するための手段】
【０００７】
本発明は、筒状の容器本体部を形成可能な側板部と、側板部の上下に、折り曲げ可能に連設された天面蓋部及び底面蓋部とを備えた容器組立用プラスチックシートであって、少なくとも底面蓋部の周囲に複数の係合部を設け、側板部内には、少なくとも下辺部に沿って前記係合部と係合可能な複数の被係合部を設けてなる構成を有する容器組立用プラスチックシートを提案する。
【０００８】
本発明の容器組立用プラスチックシートは、係合部と被係合部とを係合させつつ底面蓋部を容器本体部に嵌め込む構成であるから、運搬中や商品展示中などに蓋部の嵌め込みがズレて意匠性が低下したり、底面蓋部が外れて商品が落下したりすることがない。よって、本発明の容器組立用プラスチックシートを組み立ててなる組立容器は、商品展示用の組立容器として好適に用いることができる。
【発明を実施するための最良の形態】
【０００９】
以下、本発明の一例としての実施の形態を図面によって説明する。但し、本発明が下記実施形態に限定されるものではない。
【００１０】
図１に示すプラスチックシート１は、図２に示す組立容器５０を組み立てることができる容器組立用プラスチックシートである。
【００１１】
プラスチックシート１の材質は、特に限定するものではない。例えばアモルファスポリエチレンテレフタレート（Ａ―ＰＥＴ）、ポリプロピレン、ポリエチレン、ポリスチレン、ポリカーボネートおよびポリ乳酸のいずれか、或いはこれらのうちの２種類以上の組合わせからなるポリマーブレンドなど、透明性が良好で且つ剛性も高い合成樹脂を好ましく例示することができる。
【００１２】
プラスチックシート１は、図１及び図２に示すように、筒状の容器本体部５１を形成可能な側板部２と、側板部２の上下辺部２ａ、２ｂに、一定の幅の連接部７、８をもって折り曲げ可能に連設されてなる天面蓋部３及び底面蓋部４とを備えている。
なお、天面蓋部３及び底面蓋部４を連設する位置は、天面蓋部３と底面蓋部４とを設ける位置が同じ位置、すなわち側板部２の一側端部からの距離がともに同じ位置であれば、どの位置に連設してもよい。
【００１３】
側板部２は、略長方形状を呈し、一方の短手辺縁部に糊代部５を設け、上下辺部２ａ、２ｂのそれぞれに沿って複数の被係合部６を適宜間隔をおいて設け、天面蓋部３及び底面蓋部４との連接部７、８にはそれぞれ折り曲げ罫線を入れ、当該連接部７、８と略同巾分の平坦側面部５１ａを画成するように、上下辺部２ａ、２ｂに渡って折り曲げ罫線９を入れて形成してある。
【００１４】
被係合部６は、図３、図６及び図７に示すように、後述する天面蓋部３及び底面蓋部４の係合部１４と係合可能であれば特にその形状を限定するものではない。本例では、細長く伸びた凸部状の係合部１４と係合可能なように、上下辺部２ａ、２ｂと並行な方向に細長く伸びた凹部として形成してある。但し、貫通した穴部として形成してもよい。なお、係合部１４が例えば凹部若しくは穴部であれば、被係合部６はこれと係合し得るように例えば凸部状に形成すればよい。
【００１５】
天面蓋部３及び底面蓋部４は、図１に示すように、いずれも同形状に形成してあり、容器本体部５１の上方開口部５２又は下方開口部５３に合致した形状、すなわち、上面視した場合に円の一部（すなわち連接部７、８の部分）が直線となった形状に形成してある。そして、図４に示す如く、周縁部に若干幅の周縁平面部１０を残してその内側を陥没させ、段部１１を介して内側部に平坦な蓋面部１２を形成する一方、前記周縁平面部１０の外縁から垂下してなる枠縁部１３を蓋面部１２を囲むように設け、該枠縁部１３の外周面には周囲方向に適宜間隔をおいて複数の係合部１４を設けて形成してある。
【００１６】
係合部１４は、図４に示すように、枠縁部１３の外周面から突出（例えば０．５〜１ｍｍ程度突出）し、周面方向に細長く伸びた凸部状に形成してある。但し、被係合部６と係合可能であれば特にその形状を限定するものではない。
【００１７】
蓋面部１２内には、図１及び図５に示すように、連接部７（８）の対向側に、蓋面部１２から周縁平面部１０に至る傾斜面部１５を形成してある。
【００１８】
プラスチックシート１の製造方法は特に限定するものではない。例えば所望の形状に打ち抜き、折り曲げ箇所に折り曲げ罫線を入れ、真空成形、圧空成形、加熱成形などの成形手段によって凹部や凸部などを形成して製造することができる。
【００１９】
プラスチックシート１は、次のようにして組立容器５０を組み立てることができる。
【００２０】
先ず、側板部２を丸めて（図１の紙面裏側方向に丸めて）、側板部２の一方の短手辺縁部の糊代部５を他方の短手辺縁部に接合し、ホットメルト接着剤その他の接着剤或いは融着などにより接着して略円筒状の容器本体部５１を形成する。ただし、円筒状と言っても、図２に示すように、折り曲げ罫線９によって画成された平坦側面部５１ａ、すなわち折り曲げ罫線９から他方の短手辺縁までの間の面は平坦面となる。
【００２１】
次に、図６に示すように、底面蓋部４を連接部８に沿って折り曲げ、図７に示すように、側板部２の被係合部６に底面蓋部４の係合部１４を係合させつつ容器本体部５１の下方開口部５３内に底面蓋部４を嵌め込んで閉じる。
次いで、容器本体部５１の上方開口部５２から容器本体部５１内に被収納物（商品）を挿入して設置する。
そして、天面蓋部３を連接部７に沿って折り曲げ、底面蓋部４同様に、側板部２の被係合部６に天面蓋部３の係合部１４を係合させつつ容器本体部５１の上方開口部５２に天面蓋部３を嵌め込んで閉じることにより、被収納物（商品）を収容した状態で組立容器５０を組み立てることができる。
必要に応じて天面蓋部３、底面蓋部４の周縁部と容器本体部５１の端部とに跨って粘着テープを周着してもよい。
【００２２】
図８に示すプラスチックシート２１は、上記プラスチックシート１の変形例、すなわちプラスチックシート１における被係合部６及び係合部１４を変更した例である。
なお、プラスチックシート２１を組み立てた容器は、プラスチックシート１を組み立てた組立容器５０と略同様であるため、以後の説明では、組立容器の符号はプラスチックシート１と共通とする。
【００２３】
プラスチックシート２１は、図８に示すように、側板部２２と、側板部２２の上下辺部２２ａ、２２ｂに、一定の幅の連接部２７、２８をもって折り曲げ可能に連設されてなる天面蓋部２３及び底面蓋部４とを備えている。
なお、天面蓋部２３及び底面蓋部２４を連設する位置は、天面蓋部２３と底面蓋部２４とを設ける位置が同じ位置、すなわち側板部２の一側端部からの距離がともに同じ位置であれば、どの位置に連設してもよい。
【００２４】
側板部２２は、略長方形状を呈し、一方の短手辺縁部に糊代部２５を設け、上下辺部２２ａ、２２ｂのそれぞれに沿って複数の被係合部２６を適宜間隔をおいて設け、天面蓋部２３及び底面蓋部２４の連接部２７、２８にはそれぞれ折り曲げ罫線を入れ、当該連接部２７、２８と略同巾分の平坦側面部５１ａを画成するように、上下辺部２２ａ、２２ｂに渡って折り曲げ罫線２９を入れて形成してある。
【００２５】
被係合部２６は、図９、図１２及び図１３に示すように、後述する天面蓋部２３及び底面蓋部２４の係合部３５と係合可能であれば特にその形状を限定するものではない。本例では、細長く伸びた凸部状の係合部３５と係合可能なように、上下辺部２２ａ、２２ｂと並行な方向に細長く伸びた凹部として形成してある。但し、貫通した穴部として形成してもよい。なお、係合部３５が例えば凹部若しくは穴部であれば、被係合部２６はこれと係合し得るように例えば凸部状に形成すればよい。
【００２６】
天面蓋部２３及び底面蓋部２４は、図８に示すように、いずれも同形状に形成してあり、容器本体部５１の上方開口部５２又は下方開口部５３に合致した形状、すなわち、上面視した場合に円の一部（すなわち連接部２７、２８の部分）が直線となった形状に形成してある。そして、図９に示す如く、周縁部に若干幅の周縁平面部３０を残してその内側を陥没させ、段部を介して内側部に平坦な蓋面部３２を形成する一方、前記周縁平面部３０の外周縁部に、周縁方向に適宜間隔をおいて、周縁平面部３０から外側に張り出してなる複数の長方形状の張出片部３３を折り曲げ可能に連設し、張出片部３３のそれぞれに、張出片部３３の長手方向に若干細長い凸部状の係合部３５を設けて形成してある。
【００２７】
蓋面部３２内には、図８及び図１２に示すように、連接部２７（２８）の対向側に、蓋面部３２から周縁平面部３０に至る傾斜面部３１を形成してある。
【００２８】
プラスチックシート２１の製造方法は特に限定するものではない。例えば所望の形状に打ち抜き、折り曲げ箇所に折り曲げ罫線を入れ、真空成形、圧空成形、加熱成形などの成形手段によって凹部や凸部などを形成して製造することができる。
【００２９】
プラスチックシート２１は、次のようにして組立容器５０を組み立てることができる。
【００３０】
先ず、側板部２２を丸めて（図８の紙面裏側方向に丸めて）、側板部２２の一方の短手辺縁部の糊代部２５を他方の短手辺縁部に接合し、ホットメルト接着剤その他の接着剤或いは融着などにより接着して略円筒状の容器本体部５１を形成する。折り曲げ罫線９によって画成された平坦側面部５１ａは平坦面となる点は上記と同様である。
【００３１】
次に、図１１に示すように、底面蓋部２４の張出片部３３を折り曲げた上で、図１２に示すように、底面蓋部２４を連接部２８に沿って折り曲げ、図１３に示すように、側板部２２の被係合部２６に底面蓋部２４の係合部３５を係合させつつ容器本体部５１の下方開口部５３に底面蓋部２４を嵌め込んで閉じる。
次いで、容器本体部５１の上方開口部５２から容器本体部５１内に被収納物（商品）を挿入して設置する。
そして、図１１に示すように、天面蓋部２３の張出片部３３を折り曲げた上で、図１２に示すように、天面蓋部２３を連接部２７に沿って折り曲げ、図１３に示すように、側板部２２の被係合部２６に天面蓋部２３の係合部３５を係合させて容器本体部５１の下方開口部５３に天面蓋部２３を嵌め込んで閉じることにより、被収納物（商品）を収容した状態で組立容器５０を組み立てることができる。
必要に応じて天面蓋部２３、底面蓋部２４の周縁部と容器本体部５１の端部とに跨って粘着テープを周着してもよい。
【００３２】
プラスチックシート１及びプラスチックシート２１のいずれにおいても、図１及び図８に示すように、側板部２（側板部２２）の長さ方向中間部付近に、上下辺部２ａ、２ｂ（２２ａ、２２ｂ）間に渡って折り曲げ罫線１６（３６）を設けてもよい。折り曲げ罫線１６（３６）で側板部２（側板部２２）を２つに折り畳むことができるから、側板部２（２２）を２つに折り畳んだ状態で、糊代部５（２５）を他方の短手辺縁部に接着し、このように折り畳んだ状態でプラスチックシート１及びプラスチックシート２１を出荷することができるから、嵩張ることなく運搬及び保管することができる。
【００３３】
また、上記のいずれの実施形態においても、組立容器５０を円筒形状として説明したが、組立容器５０（容器本体部５１）の形状は、多角柱状などその他任意の筒形状に形成することができる。
また、容器本体部５１内に商品を固定するための構造を追加することは任意である。
【図面の簡単な説明】
【００３４】
【図１】本発明の一実施例に係る容器組立用プラスチックシートの展開状態を示した平面図である。
【図２】図１の容器組立用プラスチックシートを組み立てた組立容器を示した斜視図である。
【図３】図１の容器組立用プラスチックシートにおける側板部の要部を示した断面図である。
【図４】図１の容器組立用プラスチックシートにおける天面蓋部及び底面蓋部の要部を示した断面図である。
【図５】図１の容器組立用プラスチックシートにおける天面蓋部及び底面蓋部の要部（傾斜面部）を示した断面図である。
【図６】図１の容器組立用プラスチックシートの組立工程のうちの一例を示す要部の断面図である。
【図７】図１の容器組立用プラスチックシートにおいて、天面蓋部及び底面蓋部の係合部と側板部の被係合部との係合状態を示した要部の断面図である。
【図８】図１に示した容器組立用プラスチックシートの変形例の展開状態を示した平面図である。
【図９】図８の容器組立用プラスチックシートにおける天面蓋部及び底面蓋部の要部を示した断面図である。
【図１０】図８の容器組立用プラスチックシートにおける側板部の要部を示した断面図である。
【図１１】図８の容器組立用プラスチックシートの組立工程の中間工程の一例を示した要部の断面図である。
【図１２】図８の容器組立用プラスチックシートの組立工程の中間工程の一例を示した要部の断面図である。
【図１３】図８の容器組立用プラスチックシートにおいて、天面蓋部及び底面蓋部の係合部と側板部の被係合部との係合状態を示した要部断面図である。
【符号の説明】
【００３５】
１  プラスチックシート
２  側板部
２ａ上辺部
２ｂ上辺部
３  天面蓋部
４  底面蓋部
５  糊代部
６  被係合部
７，８  連接部
９  折り曲げ罫線
１０  周縁平面部
１１  段部
１２  蓋面部
１３  枠縁部
１４  係合部
１５  傾斜面部
２１  プラスチックシート
２２  側板部
２２ａ上辺部
２２ｂ上辺部
２３  天面蓋部
２４  底面蓋部
２５  糊代部
２６  被係合部
２７，２８  連接部
２９  折り曲げ罫線
３０  周縁平面部
３１  傾斜面部
３３  張出片部
３５  係合部
５０    組立容器
５１    容器本体部
５１ａ  平坦側面部
５１ｂ  湾曲面部
５２    上方開口部
５３    下方開口部
【図１】
2008094459.tif 000003
【図２】
2008094459.tif 000004
【図３】
2008094459.tif 000005
【図４】
2008094459.tif 000006
【図５】
2008094459.tif 000007
【図６】
2008094459.tif 000008
【図７】
2008094459.tif 000009
【図８】
2008094459.tif 000010
【図９】
2008094459.tif 000011
【図１０】
2008094459.tif 000012
【図１１】
2008094459.tif 000013
【図１２】
2008094459.tif 000014
【図１３】
2008094459.tif 000015